(57)【要約】【課題】家庭用のテレビ放送受信装置を使用するインターホンシステムであって、テレビ放送受信装置にて来訪者に対する対応の指示を行えるようにしたインターホンシステムの提供。【解決手段】ドアホン装置との間で信号を送受信するための送受信部１０７と、応答がテキストデータとして格納されている記憶部１０４と、テキストデータを音声信号に変換させる音声合成処理部１０８と、をテレビ１００に備えさせることにより、テレビ１００で選択した応答情報（例えば、「お入り下さい」など）に基づいた音声信号をドアホン装置へと送信し、住居の玄関先に設置されるドアホン子機から出力させる。これにより、テレビ１００を操作することによって、来訪者に対する応対をすることが可能となる。【選択図】図１
2007150473.tif 000002
【特許請求の範囲】
【請求項１】
各周波数の放送信号を受信するテレビ放送受信装置であって、ドアホン子機とドアホン親機からなるドアホン装置からの音声信号若しくは映像信号又は音声信号及び映像信号を受信可能な入力部と、音声処理部若しくは映像表示処理部又は音声処理部及び映像表示処理部と、スピーカと、表示部と、を備えることにより、前記ドアホン装置からの音声信号若しくは映像信号を受信した際には、前記音声処理部若しくは映像表示処理部により、前記スピーカ若しくは表示部に音声若しくは映像を出力させ、前記ドアホン装置への応答情報を送信可能な出力部と、予め若しくはユーザによって入力された応答情報が格納された記憶部と、を備えることにより、前記ドアホン装置からの音声信号若しくは映像信号に対する応答として、前記記憶部に格納されている応答情報を前記出力部から送信することを特徴とするテレビ放送受信装置。
【請求項２】
操作部と、音声合成処理部と、を備えることにより、ユーザの前記操作部に対する入力操作による前記応答情報の設定をテキストデータとして取得して前記記憶部に格納し、前記ドアホン装置へ応答として前記出力部から送信する前記応答情報を、前記テキストデータを前記音声合成処理部によって変換した音声信号とすることを特徴とする請求項１記載のテレビ放送受信装置。
【請求項３】
ドアホン子機とドアホン親機からなるドアホン装置であって、マイク若しくはマイク及びカメラを備える前記ドアホン子機からの音声信号若しくは映像信号を、請求項１又は請求項２に記載のテレビ放送受信装置に対して送信可能な送信部と、前記テレビ放送受信装置から送信される前記応答情報を受信可能な受信部と、を備えることにより、前記受信部によって前記テレビ放送受信装置からの応答情報が受信された場合には、前記ドアホン子機に備えられるスピーカから前記応答情報に基づく音声を出力させることを特徴とするドアホン装置。
【請求項４】
請求項１又は請求項２に記載のテレビ放送受信装置と、請求項３に記載のドアホン装置とによって構成されるインターホンシステムであって、前記テレビ放送受信装置に備えられる入力部と前記ドアホン装置に備えられる送信部とを、及び、前記テレビ放送受信装置に備えられる出力部と前記ドアホン装置に備えられる受信部とを、それぞれ有線若しくは無線で接続することにより、前記ドアホン子機からの音声信号若しくは映像信号の出力があった場合には、当該音声信号若しくは映像信号を前記ドアホン装置から前記テレビ放送受信装置へと送信し、これを受信した前記テレビ放送受信装置において前記音声信号若しくは映像信号に基づく音声又は映像を出力させ、前記テレビ放送受信装置に対するユーザからの応答指示があった際には前記応答情報を前記ドアホン装置へと送信し、これを受信した前記ドアホン装置において前記ドアホン子機に備えられるスピーカから前記応答情報に基づく音声を出力させることを特徴とするインターホンシステム。
【請求項５】
ドアホン子機とドアホン親機からなるドアホン装置であって、マイク若しくはマイク及びカメラを備える前記ドアホン子機からの音声信号若しくは映像信号を、請求項１に記載のテレビ放送受信装置に対して送信可能な送信部と、前記テレビ放送受信装置から送信される前記応答情報を受信可能な受信部と、音声合成処理部と、を備えることにより、前記受信部によって前記テレビ放送受信装置からの応答情報が受信された場合には、前記音声合成処理部によって前記応答情報に基づく音声信号を生成し、前記ドアホン子機に備えられるスピーカから出力させることを特徴とするドアホン装置。
【請求項６】
請求項１に記載のテレビ放送受信装置と、請求項５に記載のドアホン装置とによって構成されるインターホンシステムであって、前記テレビ放送受信装置の前記記憶部に格納する応答情報をテキストデータとし、前記テレビ放送受信装置に備えられる入力部と前記ドアホン装置に備えられる送信部とを、及び、前記テレビ放送受信装置に備えられる出力部と前記ドアホン装置に備えられる受信部とを、それぞれ有線若しくは無線で接続することにより、前記ドアホン子機からの音声信号若しくは映像信号の出力があった場合には、当該音声信号若しくは映像信号を前記ドアホン装置から前記テレビ放送受信装置へと送信し、これを受信した前記テレビ放送受信装置において前記音声信号若しくは映像信号に基づく音声又は映像を出力させ、前記テレビ放送受信装置に対するユーザからの応答指示があった際には前記応答情報であるテキストデータを前記ドアホン装置へと送信し、これを受信した前記ドアホン装置において前記音声合成処理部によって前記テキストデータに基づく音声を生成し、前記ドアホン子機に備えられるスピーカから出力させることを特徴とするインターホンシステム。
【請求項７】
ドアホン子機とドアホン親機からなるドアホン装置であって、音声合成処理部と、予め若しくはユーザによって入力された応答情報が格納された記憶部と、テレビ放送受信装置との間でデータを入出力可能なデータ入出力部と、を備えることにより、前記ドアホン子機からの音声信号若しくは映像信号の出力があった場合には、当該音声信号若しくは映像信号と応答指示要求とを前記データ入出力部から送出し、当該応答指示要求に対する指示が前記テレビ放送受信装置からあった場合には、当該指示内容に従い前記音声合成処理部によって前記応答情報に基づく音声信号を生成し、前記ドアホン子機に備えられるスピーカから出力させることを特徴とするドアホン装置。
【請求項８】
各周波数の放送信号を受信するテレビ放送受信装置であって、請求項７記載のドアホン装置との間でデータを入出力可能なデータ入出力部と、音声処理部若しくは映像表示処理部又は音声処理部及び映像表示処理部と、スピーカと、表示部と、操作部と、を備えることにより、前記ドアホン装置からの音声信号若しくは映像信号を受信した際には前記音声処理部若しくは映像表示処理部により前記スピーカ若しくは表示部に音声若しくは映像を出力させ、前記応答指示要求を受信した際には前記映像表示処理部により当該応答指示要求を前記表示部へと表示させ、これに対するユーザからの指示が前記操作部に対してあった場合には当該指示内容を前記データ入出力部から前記ドアホン装置へと送出することを特徴とするテレビ放送受信装置。
【請求項９】
請求項７に記載のドアホン装置と、請求項８に記載のテレビ放送受信装置とによって構成されるインターホンシステムであって、前記ドアホン装置に備えられるデータ入出力部と前記テレビ放送受信装置に備えられるデータ入出力部とを、有線若しくは無線で接続することにより、前記ドアホン子機からの音声信号若しくは映像信号の出力があった場合には、当該音声信号若しくは映像信号と、応答指示要求とを前記データ入出力部から送出し、これを受信した前記テレビ放送受信装置において前記音声信号若しくは映像信号に基づく音声又は映像を出力させ、また、前記応答指示要求を前記表示部へと表示させ、これに対するユーザからの指示があった際には当該指示内容を前記ドアホン装置へと送信し、これを受信した前記ドアホン装置において当該指示内容に従って前記音声合成処理部によって前記応答情報に基づく音声信号を生成し、前記ドアホン子機に備えられるスピーカから出力させることを特徴とするインターホンシステム。
【発明の詳細な説明】
【技術分野】
【０００１】
本発明は、インターホンシステムに関し、特にテレビ放送受信装置を使用するインターホンシステムに関する。
【背景技術】
【０００２】
ドアホン子機を住居の玄関先に設置しドアホン親機を住居内に設置することで、来訪者と住居の内外で会話をすることができるインターホンシステムが広く利用されており、ドアホン子機にカメラを備えさせ、ドアホン親機に当該カメラの映像を表示させるようにしたテレビインターホンシステムも利用されている。このようなインターホンシステムにおいて家庭用のテレビを利用可能とした従来技術が特許文献１や特許文献２などによって開示されている。
【０００３】
【特許文献１】特開平６−１１３０２５号公報
【特許文献２】特開２００１−３０９３６４号公報
【発明の開示】
【発明が解決しようとする課題】
【０００４】
上記特許文献で開示される従来技術は、基本的に、ドアホン子機に備えられたカメラからの映像を家庭用のテレビに映すようにするのみのものであり、来訪者に対する対応を家庭用のテレビで行えるものではなかった。
【０００５】
本発明は、上述した点に鑑み、家庭用のテレビ放送受信装置を使用するインターホンシステムであって、テレビ放送受信装置に対して来訪者に対する対応の指示を行えるようにしたインターホンシステムを提供することを目的とする。
【課題を解決するための手段】
【０００６】
請求項１のテレビ放送受信装置は、各周波数の放送信号を受信するテレビ放送受信装置であって、ドアホン子機とドアホン親機からなるドアホン装置からの音声信号若しくは映像信号又は音声信号及び映像信号を受信可能な入力部と、音声処理部若しくは映像表示処理部又は音声処理部及び映像表示処理部と、スピーカと、表示部と、を備えることにより、前記ドアホン装置からの音声信号若しくは映像信号を受信した際には、前記音声処理部若しくは映像表示処理部により、前記スピーカ若しくは表示部に音声若しくは映像を出力させ、前記ドアホン装置への応答情報を送信可能な出力部と、予め若しくはユーザによって入力された応答情報が格納された記憶部と、を備えることにより、前記ドアホン装置からの音声信号若しくは映像信号に対する応答として、前記記憶部に格納されている応答情報を前記出力部から送信することを特徴とする。
【０００７】
上記構成によれば、ドアホン装置からの音声信号若しくは映像信号をテレビ放送受信装置から出力することができ、これに対する応答情報をテレビ放送受信装置から送出させることができる。なお、「ドアホン装置からの音声信号」は、ドアホン子機によって得られる来訪者の声の他、ドアホン子機に備えられる呼び出し機能による呼出音信号などをも含む概念である。
【０００８】
請求項２のテレビ放送受信装置は、請求項１記載のテレビ放送受信装置であって、操作部と、音声合成処理部と、を備えることにより、ユーザの前記操作部に対する入力操作による前記応答情報の設定をテキストデータとして取得して前記記憶部に格納し、前記ドアホン装置へ応答として前記出力部から送信する前記応答情報を、前記テキストデータを前記音声合成処理部によって変換した音声信号とすることを特徴とする。
【０００９】
上記構成によれば、ユーザによって設定されたテキストデータ（応答情報）が音声合成処理部によって音声信号に変換されて、ドアホン装置へと送出される。
【００１０】
請求項３のドアホン装置は、ドアホン子機とドアホン親機からなるドアホン装置であって、マイク若しくはマイク及びカメラを備える前記ドアホン子機からの音声信号若しくは映像信号を、請求項１又は請求項２に記載のテレビ放送受信装置に対して送信可能な送信部と、前記テレビ放送受信装置から送信される前記応答情報を受信可能な受信部と、を備えることにより、前記受信部によって前記テレビ放送受信装置からの応答情報が受信された場合には、前記ドアホン子機に備えられるスピーカから前記応答情報に基づく音声を出力させることを特徴とする。
【００１１】
上記構成によれば、来訪者によってドアホン子機が操作されること等によって発生する音声信号（呼出音信号などをも含む）若しくは映像信号が、テレビ放送受信装置へと送出され、テレビ放送受信装置から応答情報を受信した際にはドアホン子機から当該応答情報に基づく音声が出力される。
【００１２】
請求項４のインターホンシステムは、請求項１又は請求項２に記載のテレビ放送受信装置と、請求項３に記載のドアホン装置とによって構成されるインターホンシステムであって、前記テレビ放送受信装置に備えられる入力部と前記ドアホン装置に備えられる送信部とを、及び、前記テレビ放送受信装置に備えられる出力部と前記ドアホン装置に備えられる受信部とを、それぞれ有線若しくは無線で接続することにより、前記ドアホン子機からの音声信号若しくは映像信号の出力があった場合には、当該音声信号若しくは映像信号を前記ドアホン装置から前記テレビ放送受信装置へと送信し、これを受信した前記テレビ放送受信装置において前記音声信号若しくは映像信号に基づく音声又は映像を出力させ、前記テレビ放送受信装置に対するユーザからの応答指示があった際には前記応答情報を前記ドアホン装置へと送信し、これを受信した前記ドアホン装置において前記ドアホン子機に備えられるスピーカから前記応答情報に基づく音声を出力させることを特徴とする。
【００１３】
上記構成によれば、来訪者によってドアホン子機が操作されること等によって発生する音声信号（呼出音信号などをも含む）若しくは映像信号がテレビ放送受信装置へと送出され、当該音声信号若しくは映像信号による音声若しくは映像をテレビ放送受信装置から出力することができ、これに対する応答の指示をテレビ放送受信装置に対して行うことができ、当該応答指示による応答情報がドアホン装置へと送出され、当該応答情報に基づく音声がドアホン子機から出力される。
【００１４】
請求項５のドアホン装置は、ドアホン子機とドアホン親機からなるドアホン装置であって、マイク若しくはマイク及びカメラを備える前記ドアホン子機からの音声信号若しくは映像信号を、請求項１に記載のテレビ放送受信装置に対して送信可能な送信部と、前記テレビ放送受信装置から送信される前記応答情報を受信可能な受信部と、音声合成処理部と、を備えることにより、前記受信部によって前記テレビ放送受信装置からの応答情報が受信された場合には、前記音声合成処理部によって前記応答情報に基づく音声信号を生成し、前記ドアホン子機に備えられるスピーカから出力させることを特徴とする。
【００１５】
上記構成によれば、テレビ放送受信装置から送信された応答情報に基づき、音声合成処理部によって音声信号が生成され、当該音声信号による音声がドアホン子機から出力される。
【００１６】
請求項６のインターホンシステムは、請求項１に記載のテレビ放送受信装置と、請求項５に記載のドアホン装置とによって構成されるインターホンシステムであって、前記テレビ放送受信装置の前記記憶部に格納する応答情報をテキストデータとし、前記テレビ放送受信装置に備えられる入力部と前記ドアホン装置に備えられる送信部とを、及び、前記テレビ放送受信装置に備えられる出力部と前記ドアホン装置に備えられる受信部とを、それぞれ有線若しくは無線で接続することにより、前記ドアホン子機からの音声信号若しくは映像信号の出力があった場合には、当該音声信号若しくは映像信号を前記ドアホン装置から前記テレビ放送受信装置へと送信し、これを受信した前記テレビ放送受信装置において前記音声信号若しくは映像信号に基づく音声又は映像を出力させ、前記テレビ放送受信装置に対するユーザからの応答指示があった際には前記応答情報であるテキストデータを前記ドアホン装置へと送信し、これを受信した前記ドアホン装置において前記音声合成処理部によって前記テキストデータに基づく音声を生成し、前記ドアホン子機に備えられるスピーカから出力させることを特徴とする。
【００１７】
上記構成によれば、来訪者によってドアホン子機が操作されること等によって発生する音声信号（呼出音信号などをも含む）若しくは映像信号がテレビ放送受信装置へと送出され、当該音声信号若しくは映像信号による音声若しくは映像をテレビ放送受信装置から出力することができ、これに対する応答の指示をテレビ放送受信装置に対して行うことができ、当該応答指示による応答情報であるテキストデータがドアホン装置へと送出され、当該テキストデータに基づき、音声合成処理部によって音声信号が生成され、当該音声信号による音声がドアホン子機から出力される。
【００１８】
請求項７のドアホン装置は、ドアホン子機とドアホン親機からなるドアホン装置であって、音声合成処理部と、予め若しくはユーザによって入力された応答情報が格納された記憶部と、テレビ放送受信装置との間でデータを入出力可能なデータ入出力部と、を備えることにより、前記ドアホン子機からの音声信号若しくは映像信号の出力があった場合には、当該音声信号若しくは映像信号と応答指示要求とを前記データ入出力部から送出し、当該応答指示要求に対する指示が前記テレビ放送受信装置からあった場合には、当該指示内容に従い前記音声合成処理部によって前記応答情報に基づく音声信号を生成し、前記ドアホン子機に備えられるスピーカから出力させることを特徴とする。
【００１９】
上記構成によれば、来訪者によってドアホン子機が操作されること等によって音声信号（呼出音信号などをも含む）若しくは映像信号が発生した場合に、当該音声信号若しくは映像信号と、応答指示要求と、がテレビ放送受信装置へと送出され、テレビ放送受信装置から応答指示要求に対する指示を受信した際には、当該指示内容に従い音声合成処理部によって記憶部に格納されている応答情報に基づく音声信号が生成され、当該音声信号に基づく音声がドアホン子機から出力される。
【００２０】
請求項８のテレビ放送受信装置は、各周波数の放送信号を受信するテレビ放送受信装置であって、請求項７記載のドアホン装置との間でデータを入出力可能なデータ入出力部と、音声処理部若しくは映像表示処理部又は音声処理部及び映像表示処理部と、スピーカと、表示部と、操作部と、を備えることにより、前記ドアホン装置からの音声信号若しくは映像信号を受信した際には前記音声処理部若しくは映像表示処理部により前記スピーカ若しくは表示部に音声若しくは映像を出力させ、前記応答指示要求を受信した際には前記映像表示処理部により当該応答指示要求を前記表示部へと表示させ、これに対するユーザからの指示が前記操作部に対してあった場合には当該指示内容を前記データ入出力部から前記ドアホン装置へと送出することを特徴とする。
【００２１】
上記構成によれば、ドアホン装置からの応答指示要求があった場合には、これを表示部に表示してユーザに対して指示を求め、ユーザからの指示があった場合には、当該指示内容がドアホン装置へと送出される。
【００２２】
請求項９のインターホンシステムは、請求項７に記載のドアホン装置と、請求項８に記載のテレビ放送受信装置とによって構成されるインターホンシステムであって、前記ドアホン装置に備えられるデータ入出力部と前記テレビ放送受信装置に備えられるデータ入出力部とを、有線若しくは無線で接続することにより、前記ドアホン子機からの音声信号若しくは映像信号の出力があった場合には、当該音声信号若しくは映像信号と、応答指示要求とを前記データ入出力部から送出し、これを受信した前記テレビ放送受信装置において前記音声信号若しくは映像信号に基づく音声又は映像を出力させ、また、前記応答指示要求を前記表示部へと表示させ、これに対するユーザからの指示があった際には当該指示内容を前記ドアホン装置へと送信し、これを受信した前記ドアホン装置において当該指示内容に従って前記音声合成処理部によって前記応答情報に基づく音声信号を生成し、前記ドアホン子機に備えられるスピーカから出力させることを特徴とする。
【００２３】
上記構成によれば、来訪者によってドアホン子機が操作されること等によって音声信号（呼出音信号などをも含む）若しくは映像信号が発生した場合に、当該音声信号若しくは映像信号と、応答指示要求と、がテレビ放送受信装置へと送出され、当該音声信号若しくは映像信号による音声若しくは映像がテレビ放送受信装置から出力され、また、応答指示要求が表示部に表示され、これに対するユーザからの指示がテレビ放送受信装置に対してあった場合には当該指示内容がドアホン装置へと送出され、これを受信したドアホン装置では、当該指示内容に従い音声合成処理部によって記憶部に格納されている応答情報に基づく音声信号が生成され、当該音声信号に基づく音声がドアホン子機から出力される。
【発明の効果】
【００２４】
本発明の請求項１の、各周波数の放送信号を受信するテレビ放送受信装置であって、ドアホン子機とドアホン親機からなるドアホン装置からの音声信号若しくは映像信号又は音声信号及び映像信号を受信可能な入力部と、音声処理部若しくは映像表示処理部又は音声処理部及び映像表示処理部と、スピーカと、表示部と、を備えることにより、前記ドアホン装置からの音声信号若しくは映像信号を受信した際には、前記音声処理部若しくは映像表示処理部により、前記スピーカ若しくは表示部に音声若しくは映像を出力させ、前記ドアホン装置への応答情報を送信可能な出力部と、予め若しくはユーザによって入力された応答情報が格納された記憶部と、を備えることにより、前記ドアホン装置からの音声信号若しくは映像信号に対する応答として、前記記憶部に格納されている応答情報を前記出力部から送信することを特徴とするテレビ放送受信装置によれば、ドアホン装置からの音声信号若しくは映像信号をテレビ放送受信装置によって出力させることができ、これに対する応答情報をテレビ放送受信装置から送出させることができるため、来訪者に対する応答を、テレビ放送受信装置を操作することによって行うことが可能となり、ユーザの利便性に優れる。
【００２５】
本発明の請求項２の、操作部と、音声合成処理部と、を備えることにより、ユーザの前記操作部に対する入力操作による前記応答情報の設定をテキストデータとして取得して前記記憶部に格納し、前記ドアホン装置へ応答として前記出力部から送信する前記応答情報を、前記テキストデータを前記音声合成処理部によって変換した音声信号とすることを特徴とする請求項１記載のテレビ放送受信装置によれば、ユーザによって設定されたテキストデータ（応答情報）が音声合成処理部によって音声信号に変換されてドアホン装置へと送出されるため、例えば、「ご用件は何でしょうか」というような「応答」をテキストとして設定しておくことにより、音声合成処理部によって「ご用件は何でしょうか」という音声信号に変換されてドアホン装置へと送出されることとなり、ユーザの利便性に優れる。
【００２６】
本発明の請求項４の、請求項１又は請求項２に記載のテレビ放送受信装置と、請求項３に記載のドアホン装置とによって構成されるインターホンシステムであって、前記テレビ放送受信装置に備えられる入力部と前記ドアホン装置に備えられる送信部とを、及び、前記テレビ放送受信装置に備えられる出力部と前記ドアホン装置に備えられる受信部とを、それぞれ有線若しくは無線で接続することにより、前記ドアホン子機からの音声信号若しくは映像信号の出力があった場合には、当該音声信号若しくは映像信号を前記ドアホン装置から前記テレビ放送受信装置へと送信し、これを受信した前記テレビ放送受信装置において前記音声信号若しくは映像信号に基づく音声又は映像を出力させ、前記テレビ放送受信装置に対するユーザからの応答指示があった際には前記応答情報を前記ドアホン装置へと送信し、これを受信した前記ドアホン装置において前記ドアホン子機に備えられるスピーカから前記応答情報に基づく音声を出力させることを特徴とするインターホンシステムによれば、来訪者によってドアホン子機が操作されること等によって発生する音声信号若しくは映像信号がテレビ放送受信装置へと送出され、当該音声信号若しくは映像信号による音声若しくは映像をテレビ放送受信装置から出力することができ、これに対する応答の指示をテレビ放送受信装置に対して行うことができ、当該応答指示による応答情報がドアホン装置へと送出され、当該応答情報に基づく音声がドアホン子機から出力される。即ち、一般家庭の中で比較的使用頻度の高い装置であるテレビによって、来訪者に対する応対を行うことが可能となるため、ユーザの利便性に優れる。
【発明を実施するための最良の形態】
【００２７】
以下、本発明の具体的実施例について、図面を参照しながら説明する。なお、以下の実施態様は、本発明を具体化する際の一形態であって、本発明をその範囲内に限定するためのものではない。
【実施例１】
【００２８】
図１は、本実施例のインターホンシステムを構成するテレビ放送受信装置（以下単にテレビ）の本発明に関する部分の構成の概略を示したブロック図である。
【００２９】
図１に示されるように、本実施例のテレビ１００は、各周波数の放送信号を受信するチューナ部１０１と、当該チューナ部１０１から入力された信号に対する処理（表示部１０３へ映像を表示させるための映像信号（例えばＲＧＢ信号）の生成処理）などを行う表示処理部１０２と、表示部１０３と、記憶手段である記憶部１０４と、装置全体の制御等を行う制御部１０５と、ユーザに対する入力インターフェースである操作部１０６（本体操作部１０６１と、リモコン装置１０６２と、リモコン装置１０６２からの信号を受信する受光部１０６３と、本体操作部１０６１若しくは受光部１０６３からの信号内容を判別するキー判別部１０６４によって構成される）と、スピーカ１１１と、音声信号に対する処理（増幅など）を行う音声処理部１１２と、ドアホン装置との間で信号を無線電波によって送受信するための送受信部１０７と、ＦＭ変調と復調処理をそれぞれ行うＦＭ変調部１０９とＦＭ復調部１１０と、テキストデータなどから音声信号の生成処理を行う音声合成処理部１０８と、等を備える。
【００３０】
図２は、本実施例のインターホンシステムを構成するドアホン装置の本発明に関する部分の構成の概略を示したブロック図である。図２に示されるように、本実施例のドアホン装置は、住居内に設置されるドアホン親機２００と住居の玄関先に設置されるドアホン子機２２０とを備える。
【００３１】
ドアホン親機２００には、表示部２０１と、表示処理部２０２と、ドアホン子機２２０との間で信号を無線電波によって送受信するための送受信部２１１と、記憶手段である記憶部２０４と、装置全体の制御等を行う制御部２０５と、スピーカ２０６と、マイク２０７と、音声処理部２０８と、ＦＭ変調と復調処理をそれぞれ行うＦＭ変調部２０９とＦＭ復調部２１０と、等が備えられる。
【００３２】
ドアホン子機２２０には、ドアホン親機２００（及びテレビ１００）との間で信号を無線電波によって送受信するための送受信部２２３と、制御部２２５と、スピーカ２２６と、マイク２２７と、音声処理部２２８と、ＦＭ変調部２２９と、ＦＭ復調部２２１と、カメラ２２２と、来訪者が来訪を告げるための呼出ボタン２２４と、等が備えられる。
【００３３】
以上の構成を有するインターホンシステムの本発明に関する動作の概略を図３〜図６を参照しつつ説明する。
【００３４】
図３は、ドアホン子機２２０の本発明に関する動作の概略を示したフローチャートである。来訪者が玄関先に設置されたドアホン子機２２０の呼出ボタン２２４を押すことにより「呼出し」が発生し（ステップ３０１）、呼出信号を送受信部２２３から送出する（ステップ３０２）。ステップ３０３では“通話開始信号”が送受信部２２３によって受信されたか否かを判別し、これがあった場合にステップ３０４へと移行する。“通話開始信号”とは、在宅者が来訪者と通話するためにドアホン装置を操作することによって生じる信号であり、例えば、ドアホン親機２００に備えられる受話器（特に図示せず）を在宅者が持ち上げること等によって生じる信号であり、以下で説明するごとく、ドアホン親機２００若しくはテレビ１００から送出されるものである。
【００３５】
ステップ３０４では、送受信部２２３によって受信される信号に基づく通話処理（ドアホン親機２００（若しくはテレビ１００）との間（即ち来訪者と在宅者間）における通話処理）を行う。当該通話処理は、ドアホン子機２２０側のカメラ２２２によって得られる映像信号及びマイク２２７によって得られる音声信号を、ＦＭ変調部２２９によってＦＭ変調し、これを送受信部２２３から送出すると共に、送受信部２２３によって受信される信号を、ＦＭ復調部２２１によって復調し、当該復調された音声信号を音声処理部２２８によってスピーカ２２６から音声として出力させること、によって行われる。
【００３６】
ステップ３０５では、“通話終了信号”の有無を判別し、これがあった場合にステップ３０１へと戻って、以下上記した処理を繰返す。“通話終了信号”とは、在宅者が来訪者との通話を終了するためにドアホン装置を操作することによって生じる信号であり、例えば、在宅者がドアホン親機２００に備えられる受話器を置くこと等によって生じる信号である。
【００３７】
図４は、ドアホン親機２００の本発明に関する動作の概略を示したフローチャートである。ドアホン子機２２０からの“呼出信号”が送受信部２１１によって受信された際には（ステップ５０１）、スピーカ２０６から呼出音（例えば、“ピンポン”などの音）を出力させる（ステップ５０２）。ステップ５０３では“通話開始信号（在宅者が来訪者と通話するためにドアホン親機２００を操作することによって生じる信号）”の有無を判別し、これがあった場合に“通話開始信号”を送受信部２１１から送出することで、ドアホン子機２２０へと送信する（ステップ５０４）。これによりドアホン子機２２０では、ステップ３０４（図３）へと移行し（ステップ３０３）、通話処理が開始され、ドアホン親機２００においても通話処理が開始される（図５：ステップ５０５）。当該通話処理は、送受信部２１１によって受信される信号を、ＦＭ復調部２１０によって復調し、映像信号を表示処理部２０２によって表示部２０１に映像として表示させ、音声信号を音声処理部２０８によってスピーカ２０６から音声として出力させること、及び、ドアホン親機２００側のマイク２０７によって得られる音声信号を、ＦＭ変調部２０９によってＦＭ変調し、これを送受信部２１１から送出することによって行われる。これらのドアホン子機２２０とドアホン親機２００の処理によって、両者間での通話処理が行われる。
【００３８】
ステップ５０６では、“通話終了信号（在宅者が来訪者との通話を終了するためにドアホン親機２００を操作することによって生じる信号）”の有無を判別し、これがあった場合に“通話終了信号”を送受信部２１１から送出することで、ドアホン子機２２０へと送信し（ステップ５０７）、ステップ５０１へと戻って、以下上記した処理を繰返す。
【００３９】
以上のようなドアホン装置に対し、本実施例のインターホンシステムでは、テレビ１００を使用して来訪者への対応をできるようにしている。なお、テレビ１００は、ドアホン子機２２０との間で信号を無線電波によって送受信するために、予め若しくはユーザによる設定によって、ドアホン親機２００とドアホン子機２２０の間で使用される無線電波の周波数が設定されているものとする。
【００４０】
図５は、テレビ１００の“応答情報”の設定処理の概略を示したフローチャートである。ステップ６０１では、ユーザからの“応答情報”の設定要求を待ち、これがあった際に図７に示されるような応答情報設定画面を表示して（ステップ６０２）、“応答情報”を取得してこれを記憶部１０４に格納し（ステップ６０３）、ＯＫボタン８１の入力があった際に処理を終了する（ステップ６０４）。当該設定処理は、ＯＳＤ信号生成機能を有する制御部１０５と表示処理部１０２によって設定画面を表示部１０３に表示させつつ（ユーザからの入力に応じて表示画面を変更させつつ）、リモコン装置１０６２若しくは操作部１０６１に対するユーザからの入力内容を、キー判別部１０６４及び制御部１０５によって判別し、各設定情報（テキストとして入力される応答情報）を取得することによって行われる。なお、以下の処理における画面の表示処理や、ユーザの操作内容を判別する場合も同様の概念である。
【００４１】
図６は、テレビ１００の本発明に関する動作の概略を示したフローチャートである。ステップ７０１では、装置の電源がオン状態であるかオフ状態であるかを判別し、オフ状態である場合には０を（ステップ７０３）、オン状態である場合には１を変数ｐに代入して（ステップ７０２）、記憶部１０４に格納する。なお、「装置がオフ状態である」とは、装置全体が完全に電気的にオフ状態となっていることを示すものではなく、装置内の複数の部分には電力が供給されていないが、装置の一部（例えば制御部）は通電状態である状態をいう。
【００４２】
続くステップ７０４では、ドアホン子機２２０からの“呼出信号”が送受信部１０７によって受信されたか否かを判別し、これがあった場合には、記憶部１０４に格納されているｐが１であるか否かを判別し（ステップ７０５）、これが０であった場合（即ち電源がオフ状態である場合）には、電源オン処理（ステップ７０６）と、制御部１０５が有する計時機能によるタイマ1をスタートさせた上で（ステップ７０７）、スピーカ１１１から呼出音（例えば“ピンポン”という音）を制御部１０５と音声処理部１１２によって出力させる（ステップ７０８）。
【００４３】
ステップ７０９では、“通話開始信号”を送受信部１０７から送出することで、ドアホン子機２２０へと送信する。これによりドアホン子機２２０では、ステップ３０４（図３）へと移行し（ステップ３０３）、通話処理が開始され、ドアホン子機２２０によって得られる音声信号及び映像信号が送受信部２２３から送出されるため、当該音声信号及び映像信号を送受信部１０７によって受信したテレビ１００では、これをＦＭ復調部１１０で復調し、映像信号を表示処理部１０２によって表示部１０３に映像として表示させ、音声信号を音声処理部１１２によってスピーカ１１１から音声として出力させる（ステップ７１０）。なお、表示部への映像表示時には、テレビが使用中（例えば放送番組の視聴中）であった場合には子画面にてドアホン装置からの映像を表示させる処理とする等してもよい。
【００４４】
ステップ７１１では、図８に示されるような応答選択画面を、ドアホン装置からの映像に重畳させるなどして表示部１０３に表示し、ユーザの選択した応答情報を取得して、当該応答情報（テキストデータ）から音声合成処理部１０８によって音声信号を生成し、これをＦＭ変調部１０９によって変調して送受信部１０７から送出することで、ドアホン子機２２０へと送信する。これを受けたドアホン子機２２０では当該受信した信号を復調してスピーカ２２６から出力させる。なお、応答選択画面の表示は、ドアホン装置からの映像を表示させる際に同時に行うものであってもよいし、ユーザからの応答選択画面の表示要求をまって表示させるものであってもよい。
【００４５】
ステップ７１２では、通話終了か否か（通話終了ボタン９１の入力の有無）を判別し、これがあった場合に“通話終了信号”を送受信部１０７から送出することでドアホン子機２２０へと送信すると共に、ドアホン装置からの映像及び音声の出力を終了し（ステップ７１５）、記憶部１０４に格納されているｐが１であるか否かを判別し（ステップ７１６）、これが０であった場合（即ち、呼出信号受信時（ステップ７０４）に電源がオフ状態であった場合）には、電源オフ処理（ステップ７１７）を行った上でステップ７０１へと戻って、以下上記した処理を繰返す。なお、ステップ７１３〜ステップ７１４は、呼出信号受信時から所定時間（予め若しくはユーザによって設定されて記憶部１０４に格納されている）の間、なんの操作も行われなかった場合に、ドアホン装置からの映像及び音声の出力を終了させるものである。
【００４６】
なお、本実施例のテレビ１００の処理（図６のフローチャート）では、ドアホン装置から“呼出信号”を受信した際には、必ず“通話開始信号”をドアホン装置へと送出し（ステップ７０９）、テレビによるドアホン装置への対応を行う処理としているが、ユーザの設定によって「テレビによるドアホン装置への対応機能」のオン・オフを切り換える処理としても良い（例えばテレビの電源がオンである場合のみ「テレビによるドアホン装置への対応機能」を使用するような設定とさせるなどしても良い）。また、“通話開始信号”の送出を、ユーザによる指示を待って行うような処理としてもよい。
【００４７】
以上のごとく、本実施例のインターホンシステムによれば、来訪者によってドアホン子機２２０が操作されること等によって発生する音声信号若しくは映像信号がテレビ１００によって受信され、当該音声信号若しくは映像信号による音声若しくは映像をテレビ１００から出力することができ、これに対する応答の指示をテレビ１００のリモコン装置などを操作することによって行うことができ、当該応答情報に基づく音声がドアホン子機２２０から出力されることとなるため、例えば、テレビの視聴中などにおいて来訪者があったような場合に、わざわざドアホン親機２００のある場所までいって来訪者の応対をするといった手間をかけることなく、テレビ１００のリモコン装置等の操作のみによって来訪者に対応することができるため、ユーザの利便性に優れる。また、ユーザによって設定されたテキストデータ（応答情報）が音声合成処理部１０８によって音声信号に変換されてドアホン装置へと送出されるため、ドアホン子機２２０からは機械的な音声にて「セールスはお断りしています」といったような音声を出力させることができ、来訪者が勧誘者であるような場合に、心理的作用として執拗な勧誘を抑止させることも期待できる（機械的な音声であるため「留守にしております」といった応答をして居留守を使うことも可能である）。
【００４８】
本実施例のインターホンシステムでは、テレビ１００側で、ドアホン装置から発せられる電波（ドアホン親機２００とドアホン子機２２０との間で使用される無線電波）を送受信可能な構成としているため、テレビ１００を用いることで、ドアホン装置自体は既存の装置を利用することも可能であり、汎用性に優れ、低コストにて本発明のインターホンシステムを実現させることが可能となる。なお、本実施例では、ドアホン親機２００とドアホン子機２２０との間で使用される無線電波を、テレビ１００側で送受信可能なようにしているが、ドアホン装置が、ワイヤレス子機を備え、ドアホン親機とドアホン子機との間は有線で接続され、ドアホン親機とワイヤレス子機との間で無線通信を行うような構成である場合（図９にワイヤレス子機の構成の概略を示すブロック図を示した）には、ドアホン親機とワイヤレス子機との間で使用される無線電波をテレビ１００側で送受信可能なようにしてもよい（同様の概念である）。
【００４９】
本実施例では、音声合成処理部をテレビ１００に備えさせることにより、テレビ１００側で応答情報（テキストデータ）を音声信号に変換してドアホン装置へと送出するものとしたが、音声合成処理部をドアホン装置側に備えさせることにより、テレビ１００から応答情報（テキストデータ）をドアホン装置へと送信して、ドアホン装置側において応答情報（テキストデータ）を音声信号に変換するようにしてもよい。また、本実施例では、応答情報をテキストデータとして設定するものとしたが、応答情報を音声情報として、予め記憶部に設定しておく若しくはマイクを備えさせることによりユーザによって設定させるようにし、これを使用することで音声合成処理部を不要とするようにしても構わない。
【００５０】
加えて、応答情報を記憶部に格納する際に、優先順位を付与して格納することにより、当該優先順位に従った順番で応答情報を、応答メッセージ選択画面に表示させる処理としてもいいし、選択された応答情報の回数情報を蓄積させることにより、使用頻度の高い応答情報の優先順位を高くするような処理としてもよい。また、予め応答情報を選択させておくことにより、ドアホン装置からの呼出信号を受信した際には、自動的に当該応答情報をドアホン装置へと送信するような処理としてもよい（当該処理により、留守番メッセージとしての使用も可能となる）。
【実施例２】
【００５１】
図１０は、本実施例のインターホンシステムを構成するテレビ放送受信装置の本発明に関する部分の構成の概略を示したブロック図である。なお、実施例１（図１）と同様の構成要素については同一の符号を使用し、ここでの説明を省略若しくは簡略化する。
【００５２】
図１０に示されるように、本実施例のテレビ１０００は、デジタル放送信号を受信可能なチューナ部１００２と、デジタル信号処理（デジタル復調処理やＭＰＥＧ規格に準じた複号化処理など）を行うデジタル処理部１００１と、表示処理部１０２と、表示部１０３と、記憶部１０４と、制御部１０５と、操作部１０６と、スピーカ１１１と、音声処理部１１２と、外部装置との通信インターフェースである入出力部１００３と、等を備える。
【００５３】
図１１は、本実施例のインターホンシステムを構成するドアホン装置２０００の本発明に関する部分の構成の概略を示したブロック図である。なお、実施例１（図２）と同様の構成要素については同一の符号を使用し、ここでの説明を省略若しくは簡略化する。
【００５４】
ドアホン親機２１００には、表示部２０１と、表示処理部２０２と、ドアホン子機２２００との間における通信インターフェースとなるＩＦ部２０３と、記憶部２０４と、制御部２０５と、スピーカ２０６と、マイク２０７と、音声処理部２０８と、外部装置との通信インターフェースである入出力部２１０３と、デジタル信号処理（デジタル復調処理やＭＰＥＧ規格に準じた複号化処理など）を行うデジタル処理部２１０１と、テキストデータなどから音声信号の生成処理を行う音声合成処理部２１０２と、等が備えられる。ドアホン子機２２００には、ドアホン親機２１００との間における通信インターフェースとなるＩＦ部２２０３と、制御部２２５と、スピーカ２２６と、マイク２２７と、音声処理部２２８と、カメラ２２２と、呼出ボタン２２４と、デジタル信号処理を行うデジタル処理部２２０１と、等が備えられる。なお、本実施例では、ドアホン親機２１００のＩＦ部２０３とドアホン子機２２００のＩＦ部２２０３とは有線で接続されるものとする。
【００５５】
本実施例のインターホンシステムは、テレビ１０００の入出力部１００３とドアホン親機２１００の入出力部２１０３とが無線通信にて相互に接続されることで構成される。当該構成を有するインターホンシステムの本発明に関する動作の概略を図１２〜図１３を参照しつつ説明する。図１３は、テレビ１０００の本発明に関する動作の概略を示したフローチャートである。なお、実施例１（図６）と同様の処理概念となるものについては同一の符号を使用し、ここでの説明を省略若しくは簡略化する。
【００５６】
ドアホン装置２０００からの“呼出信号”を受信した後に、“通話開始信号”を入出力部１００３から送出し（ステップ７０９）、ドアホン装置２０００からの映像及び音声信号（以下で説明）を受信した際には、これをデジタル処理部１００１によってデジタル復調・ＭＰＥＧ復号し、表示処理部１０２及び音声処理部１１２によってそれぞれ表示部１０３及びスピーカ１１１からの出力処理（ドアホン子機２２００によって得られる来訪者の声と映像とをテレビから出力させる処理）を行う（ステップ１３０１）。
【００５７】
ステップ１３０２では、ドアホン装置２０００から受信した“応答情報のデータ”を使用して応答選択画面（図８と同様）を表示し、ユーザの選択した応答情報を取得して、当該応答情報（テキストデータ）を入出力部１００３から送出することによりドアホン装置２０００へと送信する。以降の処理概念は実施例１（図６）と同様である。
【００５８】
図１２は、ドアホン装置２０００の本発明に関する動作の概略を示したフローチャートである。なお、実施例１（図３）と同様の処理概念となるものについては同一の符号を使用し、ここでの説明を省略若しくは簡略化する。
【００５９】
来訪者による「呼出し」が発生した場合には（ステップ３０１）、呼出信号を入出力部２１０３から送出する（ステップ３０２）と共に、スピーカ２０６から呼び出し音（例えば“ピンポン”などの音）を出力させる（ステップ１２０６）。“通話開始信号”が検出された場合には（ステップ３０３）、当該“通話開始信号”が入出力部２１０３から入力されたものであるか否かを判別し（ステップ１２０１）、そうでなかった場合（即ち、在宅者がドアホン親機２１００を操作することにより“通話開始信号”が発生した場合）には、ドアホン子機２２００とドアホン親機２１００との間の通話処理が行われる（ステップ１２０７・ステップ３０５）。
【００６０】
一方、“通話開始信号”が入出力部２１０３から入力されたもの（即ちテレビ１０００から送信されたもの）であった場合には、ドアホン子機２２００によって得られた映像及び音声のデータ（カメラ２２２から得られた映像信号とマイク２２７から得られた音声信号を、デジタル処理部２２０１によってＭＰＥＧ規格に準じた符号化・圧縮処理を行ったもの）と、記憶部２０４に格納されている応答情報のデータ（予め若しくはユーザに設定されることによりテキストデータとして格納されているものであり実施例１の応答情報と同様のものである）と、をデジタル処理部２１０１によってデジタル変調して入出力部２１０３から送出する（ステップ１２０２）。続くステップ１２０３では、当該送出した“応答情報のデータ”に対するユーザの選択がテレビ１０００に対して行われることで得られた“選択された応答情報のデータ”が受信されたか否かを判別し、これがあった場合には当該応答情報（テキストデータ）から音声合成処理部２１０２によって音声信号を生成し、当該音声信号（デジタル処理部２１０１及びデジタル処理部２２０１によって適宜信号処理が行われる）をドアホン子機２２００のスピーカ２２６から出力させる（ステップ１２０４）。
【００６１】
以上のごとく、本実施例のインターホンシステムによれば、ドアホン装置２０００側において、“応答情報”が保持され、必要に応じてこれをテレビ１０００側へと送信し、テレビ１０００に対する操作によって選択された“応答情報”がデータとしてドアホン装置へと返信され、当該情報を基にドアホン装置２０００において音声変換処理がなされる。
【実施例３】
【００６２】
図１４は、本実施例のインターホンシステムを構成するテレビ放送受信装置の本発明に関する部分の構成の概略を示したブロック図である。なお、実施例１（図１）若しくは実施例２（図１０）と同様の構成要素については同一の符号を使用し、ここでの説明を省略若しくは簡略化する。
【００６３】
本実施例のテレビ３０００は、チューナ部１００２と、デジタル処理部１００１と、表示処理部１０２と、表示部１０３と、記憶部１０４と、制御部１０５と、操作部１０６と、音声合成処理部１０８と、スピーカ１１１と、音声処理部１１２と、入出力部１００３と、等を備える。
【００６４】
図１５は、本実施例のインターホンシステムを構成するドアホン装置４０００の本発明に関する部分の構成の概略を示したブロック図である。なお、実施例１（図２）若しくは実施例２（図１１）と同様の構成要素については同一の符号を使用し、ここでの説明を省略若しくは簡略化する。
【００６５】
ドアホン親機４１００には、表示部２０１と、表示処理部２０２と、ＩＦ部２０３と、記憶部２０４と、制御部２０５と、スピーカ２０６と、マイク２０７と、音声処理部２０８と、入出力部２１０３と、デジタル処理部２１０１と、等が備えられる。ドアホン子機４２００には、ＩＦ部２２０３と、制御部２２５と、スピーカ２２６と、マイク２２７と、音声処理部２２８と、カメラ２２２と、呼出ボタン２２４と、デジタル処理部２２０１と、表示部４２０１と、表示処理部４２０２と、等が備えられる。
【００６６】
本実施例のインターホンシステムは、テレビ３０００の入出力部１００３とドアホン親機４１００の入出力部２１０３とがケーブルにより相互に接続されることで構成される。テレビ３０００の本発明に関する動作の概念は、実施例１（図６）と基本的に同様であるが、本実施例のテレビ３０００の記憶部１０４には、来訪者に対する応答時にドアホン子機４２００の表示部４２０１に表示させるための映像若しくは画像が格納されており（実施例１と同様に応答のためのテキストデータも格納されている）、ステップ７１１における応答情報の取得処理において、図１７に示されるような応答選択画面を表示部１０３に表示して、ドアホン子機４２００から出力させる音声と映像に関する情報を取得し、これを入出力部１００３から出力することによりドアホン装置４０００へと送信する。
【００６７】
図１６は、ドアホン装置４０００の本発明に関する動作の概略を示したフローチャートである。なお、実施例１（図３）若しくは実施例２（図１２）と同様の処理概念となるものについては同一の符号を使用し、ここでの説明を省略若しくは簡略化する。
【００６８】
“通話開始信号”が入出力部２１０３から入力されたもの（即ちテレビ３０００から送信されたもの）であった場合には、ドアホン子機４２００によって得られた映像及び音声のデータをデジタル処理部２１０１によってデジタル変調して入出力部２１０３から送出し（ステップ１６０１）、テレビ３０００から“応答情報（映像及び音声情報）”を受信した場合には（ステップ１６０２）、当該応答情報基づいた映像と音声をドアホン子機４２００の表示部４２０１とスピーカ２２６から出力させる（ステップ１６０３）。
【００６９】
以上のごとく、本実施例のインターホンシステムによれば、テレビのリモコン装置などを操作することのみによって、ドアホン子機にユーザの選択した映像と応答音声を出力させることができため、一面では機械的な（機械的な音声による）対応でありながらも、表示させる映像等を来訪者に応じて変更することにより、在宅者の心情を表現することができ、ユーザの利便性に優れる。
【００７０】
なお、応答情報としての映像若しくは画像は、ユーザによって任意に設定できるようにしてもよい（例えば、テレビに接続される外部装置（記録再生装置など）から入力される映像や画像を取り込んで応答情報として利用できるようにする等）。応答情報としての映像若しくは画像を記憶部に保存する際には、予めドアホン子機の仕様に応じた解像度や画面サイズを設定しておくことで、当該解像度や画面サイズに変換したデータとして記憶部に保存させてもいいし、ドアホン装置側へ送信する際に解像度や画面サイズを変換する処理を行うようにしてもよい。
【図面の簡単な説明】
【００７１】
【図１】テレビ放送受信装置の本発明に関する部分の構成の概略を示したブロック図
【図２】ドアホン親機及びドアホン子機の本発明に関する部分の構成の概略を示したブロック図
【図３】ドアホン子機の本発明に関する動作の概略を示したフローチャート
【図４】ドアホン親機の本発明に関する動作の概略を示したフローチャート
【図５】テレビ放送受信装置の応答情報設定処理に関する動作の概略を示したフローチャート
【図６】テレビ放送受信装置の本発明に関する動作の概略を示したフローチャート
【図７】表示画面（応答情報設定画面）の一例を示す図
【図８】表示画面（応答メッセージ選択画面）の一例を示す図
【図９】ワイヤレス子機の構成の概略を示したブロック図
【図１０】実施例２のテレビ放送受信装置の本発明に関する部分の構成の概略を示したブロック図
【図１１】実施例２のドアホン装置の本発明に関する部分の構成の概略を示したブロック図
【図１２】実施例２のドアホン装置の本発明に関する動作の概略を示したフローチャート
【図１３】実施例２のテレビ放送受信装置の本発明に関する動作の概略を示したフローチャート
【図１４】実施例３のテレビ放送受信装置の本発明に関する部分の構成の概略を示したブロック図
【図１５】実施例３のドアホン装置の本発明に関する部分の構成の概略を示したブロック図
【図１６】実施例３のドアホン装置の本発明に関する動作の概略を示したフローチャート
【図１７】表示画面（応答メッセージ及び映像選択画面）の一例を示す図
【符号の説明】
【００７２】
１００  テレビ放送受信装置
１０１  チューナ部
１０２  表示処理部（映像表示処理部）
１０３  表示部
１０４  記憶部
１０５  制御部
１０６  操作部
１０７  送受信部（入力部及び出力部）
１０８  音声合成処理部
１１１  スピーカ
１１２  音声処理部
２００  ドアホン親機
２１１  送受信部（送信部及び受信部）
２２０  ドアホン子機
２２２  カメラ
２２６  スピーカ
２２７  マイク
２３０  ワイヤレス子機
１００３  入出力部（データ入出力部）
２１０３  入出力部（データ入出力部）
【図１】
2007150473.tif 000003
【図２】
2007150473.tif 000004
【図３】
2007150473.tif 000005
【図４】
2007150473.tif 000006
【図５】
2007150473.tif 000007
【図６】
2007150473.tif 000008
【図７】
2007150473.tif 000009
【図８】
2007150473.tif 000010
【図９】
2007150473.tif 000011
【図１０】
2007150473.tif 000012
【図１１】
2007150473.tif 000013
【図１２】
2007150473.tif 000014
【図１３】
2007150473.tif 000015
【図１４】
2007150473.tif 000016
【図１５】
2007150473.tif 000017
【図１６】
2007150473.tif 000018
【図１７】
2007150473.tif 000019